(57)【要約】【課題】  あらすじのワードでムービークリップをサーチする方法及びシステムの提供。【解決手段】  ユーザーがコンピュータシステム中のネットワークシステムを通してインターネットを経由しムービーを具えたウェブサイトに接続する時、ユーザーがムービーのあらすじ中のワードをクリックすると、ウェブサイトのウェブブラウザ中の文字読取モジュールのウェブページ解読機能により、ユーザーがクリックしたワードがプログラムに設定されたサーチワードであるかを分析し、サーチワードであれば、則ちキーワード読取モジュールがクリックしたサーチワードに基づき対応するコードを取得し、続いてフレームサーチモジュールがキーワード読取モジュールの取得した対応するコードに基づき、サイト中でフレームのリンク位置の少なくとも一つのデータをサーチし、これによりムービー再生モジュールがデータに基づきムービー再生する。【選択図】        図２
2006133851.tif 000002
【特許請求の範囲】
【請求項１】
ワードを利用してムービークリップサーチを行うシステムにおいて、
フレームデータを処理及び表示するディスプレイモジュールと、
該ディスプレイモジュールに接続されてフレーム再生を行うムービー再生モジュールと、
ユーザーが入力する命令を受け取る入力モジュールと、
ムービープレビュー機能を具えたウェブページであり、サーチ設定ワードを具えてユーザーが入力した該命令を受け取るムービーあらすじデータモジュールと、該ムービーあらすじデータモジュールに接続されてユーザーが入力した該命令に基づき少なくとも一つのサーチコードを取得し、且つこのサーチコードを対比して少なくとも一つのフレーム保存位置を探し出すワード読取モジュールとを具えた、上記ウェブページと、
該ワード読取モジュールに接続され、該フレーム保存位置に基づき対応するフレームを探し出し、該ウェブページがウェブサーバーを通して、インターネットコンポーネントにより該フレームをコンピュータシステムに伝送し並びにムービー再生モジュールを起動して該フレームを再生させる、フレームサーチモジュールと、
を具えたことを特徴とする、ワードを利用してムービークリップサーチを行うシステム。
【請求項２】
請求項１記載のワードを利用してムービークリップサーチを行うシステムにおいて、ユーザーが入力する命令がユーザーがあらすじ内でクリックする少なくとも一つのワードであることを特徴とする、ワードを利用してムービークリップサーチを行うシステム。
【請求項３】
請求項１記載のワードを利用してムービークリップサーチを行うシステムにおいて、ウェブページ読取モジュールを具えたウェブシステムを更に具え、該ウェブページ読取モジュールがウェブページのプログラムコードを解読し、ウェブページ読取モジュールとディスプレイモジュール及び入力モジュールが相互に接続されたことを特徴とする、ワードを利用してムービークリップサーチを行うシステム。
【請求項４】
ワードを利用してムービークリップサーチを行うシステムにおいて、
フレームデータを処理及び表示するディスプレイモジュールと、
該ディスプレイモジュールに接続されてフレーム再生を行うムービー再生モジュールと、
ユーザーが入力する命令を受け取る入力モジュールと、
ムービープレビュー機能を具えたウェブページであり、キーワード受取モジュールと、ムービーあらすじデータモジュールと接続されてサーチ設定されたワードを保存するキーワードデータベースと、該キーワードデータベースに接続されてユーザーが入力しキーワード受取モジュールが受け取ったワードをキーワードデータベース内に保存されたサーチ設定されたワードと対比して該サーチ設定されたワードに対応する少なくとも一つのフレーム保存位置を探し出すワード読取モジュールとを具えた、上記ウェブページと、
フレームサーチモジュールであり、該キーワードデータベースに接続され、フレーム保存位置に基づき、該キーワードに対応する少なくとも一つのフレームを探し出し、ムービープレビュー機能を具えたウェブページがウェブサーバーを介して、インターネットコンポーネントにより該フレームをコンピュータシステムに伝送し、ムービーを再生させることを特徴とする、ワードを利用してムービークリップサーチを行うシステム。
【請求項５】
請求項４記載のワードを利用してムービークリップサーチを行うシステムにおいて、ウェブページ読取モジュールを具えたウェブシステムを更に具え、該ウェブページ読取モジュールはウェブページのプログラムコードを解読し、該ウェブページ読取モジュールとディスプレイモジュール、及び入力モジュールが相互に接続されたことを特徴とする、ワードを利用してムービークリップサーチを行うシステム。
【請求項６】
請求項４記載のワードを利用してムービークリップサーチを行うシステムにおいて、キーワードに対応する少なくとも一つのフレームが同一のムービーのフレームに限定されないことを特徴とする、ワードを利用してムービークリップサーチを行うシステム。
【請求項７】
保存装置において、該保存装置はコンピュータが読取可能な複数のプログラムを保存し、該複数のプログラムがワードを利用してムービークリップサーチを行う方法を実行するのに用いられ、該ワードを利用してムービークリップサーチを行う方法は、
少なくとも一つのサーチ設定されたワードを具えたプレビュー可能なムービーのあらすじを提供するステップと、
サーチ設定されたワードを具えた請求を受け取るステップと、
サーチ設定されたワードに基づき対応する少なくとも一つのサーチコードを取得するステップと、
該サーチコードを対比して少なくとも一つのフレーム保存位置を取得するステップと、  該フレーム保存位置に基づき、サーチ設定されたワードに対応する少なくとも一つのフレームをサーチするステップと、
該フレームから始まるクリップを再生するステップと、
を具えたことを特徴とする、保存装置。
【請求項８】
請求項７記載の保存装置において、プレビュー可能なムービーのあらすじが一つのムービーに対応することを特徴とする、保存装置。
【請求項９】
請求項７記載の保存装置において、サーチ設定されたワードに基づき取得される対応する少なくとも一つのサーチコードが、保存装置中に位置するワード読取モジュールより取得されることを特徴とする、保存装置。
【請求項１０】
請求項７記載の保存装置において、サーチコードの対比が保存装置中に位置するワード読取モジュールにより実行されることを特徴とする、保存装置。
【請求項１１】
請求項７記載の保存装置において、サーチ設定されたワードに対応するフレームのサーチが、保存装置中に位置するフレームサーチモジュールにより実行されることを特徴とする、保存装置。
【請求項１２】
請求項７記載の保存装置において、フレームの再生がコンピュータシステム内に位置するムービー再生モジュールにより実行されることを特徴とする、保存装置。
【請求項１３】
保存装置において、該保存装置はコンピュータが読取可能な複数のプログラムを保存し、該複数のプログラムがワードを利用してムービークリップサーチを行う方法を実行するのに用いられ、該ワードを利用してムービークリップサーチを行う方法は、
少なくとも一つのキーワード入力モジュールを具えたプレビュー可能なウェブページを提供するステップと、
入力されたキーワードを受け取るステップと、
入力されたキーワードを対比して少なくとも一つのフレーム保存位置を取得するステップと、
該フレーム保存位置に基づき、入力されたキーワードに対応する少なくとも一つのフレームをサーチするステップと、
該フレームから始まるクリップを再生するステップと、
を具えたことを特徴とする、保存装置。
【請求項１４】
請求項１３記載の保存装置において、入力されたキーワードが一つのムービーの少なくとも一つのフレームに対応することを特徴とする、保存装置。
【請求項１５】
請求項１３記載の保存装置において、入力されたキーワードが複数のムービーの複数のフレームに対応することを特徴とする、保存装置。
【請求項１６】
請求項１３記載の保存装置において、入力されたキーワードの対比が、キーワードデータベース中に保存されたワードとの対比であることを特徴とする、保存装置。
【請求項１７】
請求項１３記載の保存装置において、入力されたキーワードの対比による少なくとも一つのフレーム保存位置の取得が、保存装置中のワード読取モジュールにより実行されることを特徴とする、保存装置。
【請求項１８】
請求項１３記載の保存装置において、入力されたキーワードに対応する少なくとも一つのフレーム保存位置によるフレームのサーチが保存装置中のフレームサーチモジュールにより実行されることを特徴とする、保存装置。
【請求項１９】
請求項１３記載の保存装置において、サーチされたフレームより始まるクリップの再生が、コンピュータシステム内のムービー再生モジュールにより実行されることを特徴とする、保存装置。
【発明の詳細な説明】
【技術分野】
【０００１】
本発明はムービークリップサーチの方法及び装置に係り、特に、ムービーのあらすじのワードを利用してムービークリップサーチする方法及びシステムに関する。
【背景技術】
【０００２】
現在、インターネット中でムービープレビュー機能を提供するソフトには例えばアップル社の発展させたＱｕｉｃｋ  ｔｉｍｅ（登録商標）があり、アップルのサイトページ内のムービープレビューに応用して、クリックしたムービーのあらすじを閲覧できる。これらのムービーのあらすじは事前にムービーよりカットされたクリップであり、その目的はユーザーがクリックして観ることができるようにし、且つこれらのクリップにそのムービー内容の短文を添付する。但し残念なことに、これらのムービーあらすじの再生時間は短過ぎ、且つクリップを選択して再生することはできず、ゆえに短時間内にこのムービーの見どころを観ることはできない。
【発明の開示】
【発明が解決しようとする課題】
【０００３】
上述の発明の背景を鑑みるに、現在のムービーのあらすじはユーザーが任意にクリップを選択して観ることができず、このためユーザーが即刻このムービーの見どころを取得できないという欠点がある。ゆえに本発明はムービーのあらすじのワードをクリップサーチの指標とし、この指標によりムービーのあらすじ内容中のワードを対応するフレームに連結した後に再生を実行し、ユーザーにそのムービーの見どころをプレビューする。
【０００４】
本発明のもう一つの目的は、ユーザーが自分でムービー内容に関係するワードを入力してサーチでき、ユーザーの必要により対応するフレームをサーチしてムービークリップを再生できるようにすることにある。
【０００５】
本発明の目的は、ユーザーの入力したワードデータ、及び対応するサーチコードにより、ムービーのデータベース中で異なるムービーの対応するフレームを探し出してクリップ再生を行えるようにすることにある。
【０００６】
以上の目的に基づき、本発明はムービーのあらすじのワード内容に基づきムービークリップをサーチするシステムと方法を提供する。ユーザーはコンピュータシステム中のウェブシステムを通してインターネットを経由しプレビュームービーを具えたウェブサイトに接続する時、ユーザーがムービーのあらすじ中のワードをクリックすると、ウェブサイトのウェブブラウザ中のワード読取モジュールのウェブページ解読機能により、ユーザーがクリックしたワードがプログラムに設定されたサーチワードであるかを分析する。ユーザーがクリックしたワードがプログラムの設定したサーチ可能なワードであれば、則ちキーワード読取モジュールがクリックしたサーチワードに基づき対応するコードを取得する。続いてフレームサーチモジュールがキーワード読取モジュールの取得した対応するコードに基づき、ウェブサイト中でフレームのリンク位置を探し出す。もし保存位置が一つ以上の時は、同一のムービー中に、同様の景物の出現する回数が一回を超過し、並びに異なる再生時間セクション内に出現することを表示する。これにより、フレームサーチモジュールは保存位置のコード順序により、続いて次の再生時間のフレームをサーチしてムービークリップを再生する。その後、ウェブページプログラムが再度該保存位置を読み取り、並びに該位置に対応するフレームをサーチ及び取得する。その後、更にインターネットコンポーネントを通してウェブサイトサーバーを介し、探し出したフレームの情報を、インターネットコンポーネントによりコンピュータシステムに伝送する。その後、ムービー再生モジュールを起動し、サーチワードによりサーチしたフレームを再生する。
【課題を解決するための手段】
【０００７】
請求項１の発明は、ワードを利用してムービークリップサーチを行うシステムにおいて、
フレームデータを処理及び表示するディスプレイモジュールと、
該ディスプレイモジュールに接続されてフレーム再生を行うムービー再生モジュールと、
ユーザーが入力する命令を受け取る入力モジュールと、
ムービープレビュー機能を具えたウェブページであり、サーチ設定ワードを具えてユーザーが入力した該命令を受け取るムービーあらすじデータモジュールと、該ムービーあらすじデータモジュールに接続されてユーザーが入力した該命令に基づき少なくとも一つのサーチコードを取得し、且つこのサーチコードを対比して少なくとも一つのフレーム保存位置を探し出すワード読取モジュールとを具えた、上記ウェブページと、
該ワード読取モジュールに接続され、該フレーム保存位置に基づき対応するフレームを探し出し、該ウェブページがウェブサーバーを通して、インターネットコンポーネントにより該フレームをコンピュータシステムに伝送し並びにムービー再生モジュールを起動して該フレームを再生させる、フレームサーチモジュールと、
を具えたことを特徴とする、ワードを利用してムービークリップサーチを行うシステムとしている。
請求項２の発明は、請求項１記載のワードを利用してムービークリップサーチを行うシステムにおいて、ユーザーが入力する命令がユーザーがあらすじ内でクリックする少なくとも一つのワードであることを特徴とする、ワードを利用してムービークリップサーチを行うシステムとしている。
請求項３の発明は、請求項１記載のワードを利用してムービークリップサーチを行うシステムにおいて、ウェブページ読取モジュールを具えたウェブシステムを更に具え、該ウェブページ読取モジュールがウェブページのプログラムコードを解読し、ウェブページ読取モジュールとディスプレイモジュール及び入力モジュールが相互に接続されたことを特徴とする、ワードを利用してムービークリップサーチを行うシステムとしている。
請求項４の発明は、ワードを利用してムービークリップサーチを行うシステムにおいて、
フレームデータを処理及び表示するディスプレイモジュールと、
該ディスプレイモジュールに接続されてフレーム再生を行うムービー再生モジュールと、
ユーザーが入力する命令を受け取る入力モジュールと、
ムービープレビュー機能を具えたウェブページであり、キーワード受取モジュールと、ムービーあらすじデータモジュールと接続されてサーチ設定されたワードを保存するキーワードデータベースと、該キーワードデータベースに接続されてユーザーが入力しキーワード受取モジュールが受け取ったワードをキーワードデータベース内に保存されたサーチ設定されたワードと対比して該サーチ設定されたワードに対応する少なくとも一つのフレーム保存位置を探し出すワード読取モジュールとを具えた、上記ウェブページと、
フレームサーチモジュールであり、該キーワードデータベースに接続され、フレーム保存位置に基づき、該キーワードに対応する少なくとも一つのフレームを探し出し、ムービープレビュー機能を具えたウェブページがウェブサーバーを介して、インターネットコンポーネントにより該フレームをコンピュータシステムに伝送し、ムービーを再生させることを特徴とする、ワードを利用してムービークリップサーチを行うシステムとしている。
請求項５の発明は、請求項４記載のワードを利用してムービークリップサーチを行うシステムにおいて、ウェブページ読取モジュールを具えたウェブシステムを更に具え、該ウェブページ読取モジュールはウェブページのプログラムコードを解読し、該ウェブページ読取モジュールとディスプレイモジュール、及び入力モジュールが相互に接続されたことを特徴とする、ワードを利用してムービークリップサーチを行うシステムとしている。
請求項６の発明は、請求項４記載のワードを利用してムービークリップサーチを行うシステムにおいて、キーワードに対応する少なくとも一つのフレームが同一のムービーのフレームに限定されないことを特徴とする、ワードを利用してムービークリップサーチを行うシステムとしている。
請求項７の発明は、保存装置において、該保存装置はコンピュータが読取可能な複数のプログラムを保存し、該複数のプログラムがワードを利用してムービークリップサーチを行う方法を実行するのに用いられ、該ワードを利用してムービークリップサーチを行う方法は、
少なくとも一つのサーチ設定されたワードを具えたプレビュー可能なムービーのあらすじを提供するステップと、
サーチ設定されたワードを具えた請求を受け取るステップと、
サーチ設定されたワードに基づき対応する少なくとも一つのサーチコードを取得するステップと、
該サーチコードを対比して少なくとも一つのフレーム保存位置を取得するステップと、  該フレーム保存位置に基づき、サーチ設定されたワードに対応する少なくとも一つのフレームをサーチするステップと、
該フレームから始まるクリップを再生するステップと、
を具えたことを特徴とする、保存装置としている。
請求項８の発明は、請求項７記載の保存装置において、プレビュー可能なムービーのあらすじが一つのムービーに対応することを特徴とする、保存装置としている。
請求項９の発明は、請求項７記載の保存装置において、サーチ設定されたワードに基づき取得される対応する少なくとも一つのサーチコードが、保存装置中に位置するワード読取モジュールより取得されることを特徴とする、保存装置としている。
請求項１０の発明は、請求項７記載の保存装置において、サーチコードの対比が保存装置中に位置するワード読取モジュールにより実行されることを特徴とする、保存装置としている。
請求項１１の発明は、請求項７記載の保存装置において、サーチ設定されたワードに対応するフレームのサーチが、保存装置中に位置するフレームサーチモジュールにより実行されることを特徴とする、保存装置としている。
請求項１２の発明は、請求項７記載の保存装置において、フレームの再生がコンピュータシステム内に位置するムービー再生モジュールにより実行されることを特徴とする、保存装置としている。
請求項１３の発明は、保存装置において、該保存装置はコンピュータが読取可能な複数のプログラムを保存し、該複数のプログラムがワードを利用してムービークリップサーチを行う方法を実行するのに用いられ、該ワードを利用してムービークリップサーチを行う方法は、
少なくとも一つのキーワード入力モジュールを具えたプレビュー可能なウェブページを提供するステップと、
入力されたキーワードを受け取るステップと、
入力されたキーワードを対比して少なくとも一つのフレーム保存位置を取得するステップと、
該フレーム保存位置に基づき、入力されたキーワードに対応する少なくとも一つのフレームをサーチするステップと、
該フレームから始まるクリップを再生するステップと、
を具えたことを特徴とする、保存装置としている。
請求項１４の発明は、請求項１３記載の保存装置において、入力されたキーワードが一つのムービーの少なくとも一つのフレームに対応することを特徴とする、保存装置としている。
請求項１５の発明は、請求項１３記載の保存装置において、入力されたキーワードが複数のムービーの複数のフレームに対応することを特徴とする、保存装置としている。
請求項１６の発明は、請求項１３記載の保存装置において、入力されたキーワードの対比が、キーワードデータベース中に保存されたワードとの対比であることを特徴とする、保存装置としている。
請求項１７の発明は、請求項１３記載の保存装置において、入力されたキーワードの対比による少なくとも一つのフレーム保存位置の取得が、保存装置中のワード読取モジュールにより実行されることを特徴とする、保存装置としている。
請求項１８の発明は、請求項１３記載の保存装置において、入力されたキーワードに対応する少なくとも一つのフレーム保存位置によるフレームのサーチが保存装置中のフレームサーチモジュールにより実行されることを特徴とする、保存装置としている。
請求項１９の発明は、請求項１３記載の保存装置において、サーチされたフレームより始まるクリップの再生が、コンピュータシステム内のムービー再生モジュールにより実行されることを特徴とする、保存装置としている。
【発明の効果】
【０００８】
現在ウェブサイト上で提供されるムービープレビュー機能は、ユーザーに提供する使用機能が全体のムービーのあらすじのプレビューに限られ、ユーザーが任意にムービーのクリップを選択して再生することはできない。このため、ユーザーはムービークリップにより該ムービーの見どころを知ることはできない。ゆえに現在のムービープレビュー機能の欠点に基づき、本発明はユーザーが任意にプレビューしたいムービーのクリップを選択できるようにするほか、ユーザーがキーワードを入力することで、一つ或いは複数のクリップをサーチして再生できるようにする。その長所は、ムービープレビュー機能を具えたウェブサイトが、ユーザーがプログラムで設定されたサーチワードをクリックするか、或いはキーワードを入力することによりムービークリップをサーチして、ユーザーが真に該ムービーの見どころをプレビューできるようにすることにある。
【発明を実施するための最良の形態】
【０００９】
本発明の実施例の詳細な説明は以下のとおりである。しかし、この詳細な説明のほか、本発明は更に広くその他の実施例で実行可能であり、且つ本発明の範囲は限定されず、特許請求の範囲の記載に準じる。
【００１０】
図１は本発明の実施例のサーチプログラム設定されたムービーのあらすじ表示フレームである。本発明の方法とシステムを応用したウェブページが遠方表示装置に送られて表示される時、上述のウェブページ中にムービー内容とそのあらすじのフレーム３が提供される。ある実施例では、フレーム３はウェブページと同一の開かれたウインドウ中に表示される。別の実施例では、フレーム３は別に開かれたサブウインドウ中に表示される。フレーム３はムービー再生エリア４とワードで構成されたあらすじエリア（ｓｙｎｏｐｓｉｓ  ａｒｅａ）５を具え、両者のフレーム３中の比例と配列位置は図１に示されるものに限定されない。次に、ムービー再生エリア４はムービー表示部分と再生制御部分を包含し、両者のムービー再生エリア４中の比例と配列位置は図１に示されるものに限定されない。
【００１１】
ある実施例において、あらすじエリア５中にはサーチプログラム設定を具えたムービーのあらすじが包含され、ユーザーがポインティングツール、例えばマウス或いは無線ペンでこれらのサーチプログラム設定を具備するワード１をクリックする時、プログラムはこれらのサーチプログラム設定を具備するワード１に対応するデータ位置により、関係するフレームをサーチし、その後、フレームの再生を行う。そのうち、サーチプログラム設定を具備するワード１は下線が付されるか、或いは異なる色で表示されるか、或いは字体がサーチプログラム設定を具備しないワード２とは異なるものとされ、これによりこのワードをクリックできることが表示される。また一方で、サーチプログラム設定を具備しないワード２は、ユーザーがそのワードをクリックする時、フレームサーチの動作を実行せず、ユーザーによる識別が行える。このほか、サーチプログラム設定を具備するワード１とサーチプログラム設定を具備しないワード２の表示方式は上述のものに限定されず、表示時にユーザーが識別できる方式であれば本発明の範囲を逸脱しない。
【００１２】
図２は本発明のあらすじワードがクリックされた時のフレームサーチのフローチャートである。ステップ１０では、ユーザーが鑑賞するムービーの目標アドレスを入力するか、或いはムービープレビュー機能を具えたウェブページ中よりプレビューしたいムービーのあらすじを選択し、このプレビューしたいムービーのあらすじはウェブページ中で任意の適当な方式で表示可能で、例えばムービー名称ワード、アイコン等とされうる。ステップ１４では、選択されたワードにフレームサーチ設定がされているかを判断する。もし選択されたワードにフレームサーチ設定がされていなければ、フレームサーチを終了する（ステップ２４）。もし選択されたワードがフレームサーチ設定されていれば、ステップ１６を実行し、サーチコードを取得する。ステップ１８では該サーチコードを対比し、並びにフレーム保存位置を探し出す。ステップ２０では保存位置により対応する少なくとも一つのフレームをサーチする。ステップ２２ではムービー再生モジュール（ｍｏｖｉｅ  ｐｌａｙｅｒ  ｍｏｄｕｌｅ）を起動し、ステップ２４ではフレームサーチを終了する。
【００１３】
このほか、図３は本発明の別の実施例におけるキーワード入力によるクリップサーチのフローチャートである。ステップ４０では、ユーザーが入力可能なキーワードを具えたプレビュームービーフレームを具えたウェブページウインドウ中でキーワードを入力する。ステップ４２では、ユーザーの入力したキーワードを、プレビュームービークリップを具えたウェブページが含有するキーワードデータベースと比較し、ユーザーが入力したキーワードがキーワードデータベース中に存在するかを判断する。もし入力したキーワードがキーワードデータベース中に存在しなければ、ステップ４４を実行する。もし入力したキーワードがキーワードデータベース中に存在すれば、ステップ４６を実行する。ステップ４４では、入力したキーワードがキーワードデータベース中になく、則ち、ウェブサイトが情報対話フレームを表示し、ユーザーに再生可能なフレームがないことを告知し、並びにフレームサーチを終了する（ステップ５２）。ステップ４６では入力されたキーワードがキーワードデータベース中にあり、則ちこのキーワードデータベースに基づき、少なくとも一つのフレーム保存位置データを得る。ステップ４８では、保存位置に基づき、対応する少なくとも一つのフレームをサーチする。ステップ５０では、サーチした少なくとも一つのフレームを再生する。ステップ５２ではフレームサーチを終了する。
【００１４】
図４は本発明の、あらすじ内のワードをクリックしてムービークリップサーチを行うサーチシステムのブロック図である。サーチシステムはコンピュータシステム（ＰＣ  ｓｙｓｔｅｍ）６０を具え、該コンピュータシステム６０は全体のフレームサーチの走査システムとされ、各モジュールの間、或いは外部と接続される信号及びデータの伝送を処理及び管理する。コンピュータシステム６０はデータを処理し表示するディスプレイモジュール６２、フレームファイルを再生するムービー再生モジュール（ｍｏｖｉｅ  ｐｌａｙｅｒ  ｍｏｄｕｌｅ）６４、ユーザーが入力したキーワードデータ或いは命令、例えばムービーあらすじ内でクリックしたサーチプログラム設定されたワードを処理する入力モジュール６６、ユーザーにオンラインとインターネットとの接続を提供するウェブシステム（ｗｅｂ  ｓｙｓｔｅｍ）６８を具えている。本発明の好ましい実施例では、ユーザーがインターネットを利用して、コンピュータシステム６０をウェブシステム６８を通して、ムービープレビュー機能を具えたウェブサイトのウェブページ８０、例えばアップルサイト内で提供されるムービープレビューウェブページに接続する。そのうち、ウェブシステム６８はウェブページ読取モジュール（ｗｅｂ  ｐａｇｅ  ｒｅａｄｅｒ  ｍｏｄｕｌｅ）７０を具え、それはウェブページのプログラムコード、例えば、ＨＴＭＬ、Ｃ＋＋、ＶＢ（Ｖｉｓｕａｌ  Ｂａｓｉｃ  Ｌａｎｇｕａｇｅ）或いはＪａｖａ（登録商標）スクリプト等を解読する。上述のディスプレイモジュール６２とムービー再生モジュール６４及びウェブシステム６８は接続され、ムービー再生モジュール６４と入力モジュール６６はそれぞれウェブシステム６８に接続されている。
【００１５】
このほか、インターネットにあっては、ムービープレビュー機能を具えたサイトのウェブページ８０内、ムービーあらすじ（ｓｙｎｏｐｓｉｓ）８２と、ワード読取モジュール（ｗｏｒｄ  ｒｅａｄｅｒ  ｍｏｄｕｌｅ）８４、及びフレームサーチモジュール（ｆｒａｍｅ  ｌｏｏｋ−ｕｐ  ｍｏｄｕｌｅ）８６を具えている。あらすじ８２はムービーフレームをプレビュー可能なウェブページ内にあって、少なくとも一部のムービーフレームのあらすじ８２であり、且つサーチプログラム設定されたワードを有するあらすじである。ワード読取モジュール８４はユーザーがクリックしたワードを読み取り、並びにクリックされたワードに基づきサーチコードを取得し、且つ該サーチコードを対比してフレームデータ保存位置を探し出す。フレームサーチモジュール８６は、ワード読取モジュール８４の探し出したフレームデータ保存位置により、該ワードに対応するフレームを探し出す。その後、コンピュータシステム６０がコンピュータシステム６０内に位置するムービー再生モジュール６４を起動し、探し出したフレームを、サーチしたコード順序により、順に再生する。
【００１６】
このほか、サーチシステムは更にインターネットコンポーネント７２を具え、それはコンピュータシステム６０をネットワーク通信協定の方式で、ウェブサーバー７６に接続する機能を提供する。これによりコンピュータシステム６０は他のコンピュータシステム、或いはウェブサーバー７６と、インターネットコンポーネント７２により接続され、並びに相互にデータと信号の伝送を行うことができる。
【００１７】
これにより、ユーザーがコンピュータシステム６０中のウェブシステム６８を通して、インターネットコンポーネント７２を介してプレビュームービーを具えたウェブサイトに接続して、ユーザーがプレビュームービーを具えたウェブページ中であらすじ８２中のワードをクリックする時、ウェブサイト中のウェブブラウザ中のワード読取モジュール８４のウェブページ解読機能により、ユーザーのクリックしたワードがプログラムで設定されたサーチワードであるかを分析し、もしユーザーのクリックしたワードが設定されたサーチワードでなければ、フレームサーチを実行せず、もしユーザーのクリックしたワードが設定されたサーチワードであれば、ワード読取モジュール８４がユーザーのクリックしたサーチワードに基づき、対応するコードを取得する。続いて、フレームサーチモジュール８６がワード読取モジュール８４の取得したコードに基づき、ウェブサイト中でフレームのリンク位置のデータを探し出す。保存位置のデータが一つ以上の時、同一部のムービー中の、同様の景物の出現の回数が一回を超過し、並びに異なる再生時間セクション内に出現することを表示する。これによりフレームサーチモジュール８６はデータの順序に基づき、続いて次の再生時間のフレームをサーチし、ムービー再生モジュール６４はデータの対応するコード順序により、ムービーの再生を行う。その後、ウェブページプログラムが更にその位置データを読み取り、並びに該位置に対応するフレームをサーチ及び読み取る。その後、更にインターネットコンポーネント７２を通して探し出したフレームの情報を、コンピュータシステム６０に伝送する。その後、ムービー再生モジュール６４を起動し、サーチワードによりサーチしたフレームを再生する。
【００１８】
その長所は、ユーザーがクリックしたプログラム設定を具備するサーチワードに基づき、即刻ユーザーにそのムービーの見どころがなんであるかを知らせることができ、且つサーチワードに対応するフレームを通して、ユーザーが該ムービーの情報を非常に速く得ることができ、現在のプレビュームービーを具えたウェブサイトが、完全なあらすじを観る必要があるが、却ってあらすじよりムービーの見どころを知ることができにくいという欠点を解決するところにある。
【００１９】
このほか、図５は本発明のキーワード入力によるフレームサーチを行うサーチシステムのブロック図である。そのサーチシステムは、図４に示されるように、コンピュータシステム６０とウェブシステム６８を具え、その機能及び含有するモジュールについては説明を省略する。本実施例では、ユーザーはプレビュームービーフレームを具えたウェブページ上で、ウェブページ８０の提供するキーワード受取モジュール（ｋｅｙ  ｗｏｒｄ  ｒｅｃｅｉｖｅｒ  ｍｏｄｕｌｅ）８８によりユーザーにキーワードを入力させ、その後、ユーザーの入力したキーワードとウェブサイト中のキーワードデータベース９０内に包含されるサーチワードを対比し、もしキーワードデータベース９０中に入力されたキーワードデータがなければ、ウェブページ８０はインターネットコンポーネント７２を通して情報をコンピュータシステム６０に送り、並びに該ウェブページ８０のウインドウ中に、情報対話フレームを表示してユーザーにその入力したキーワードに対応するフレームの存在がないことを告知する。
【００２０】
ユーザーの入力したキーワードとキーワードデータベース９０の対比の結果、対応するサーチワードが見つかった時は、更に該キーワードに対応するサーチコードを取得し、並びに該サーチコードに対応するフレーム保存位置を探し出す。続いて、フレームサーチモジュール８６が該保存位置データに基づき対応するフレームを探し出し、その後、ムービープレビュー機能を具えたウェブサイトが、情報をインターネットコンポーネント７２及びウェブサーバー７６を通してコンピュータシステム６０に伝送し、ムービー再生モジュール６４を起動して上述のフレームから開始するクリップを再生させる。
【００２１】
図５及び図４の差異は、図４中で実施されるムービーサーチ方法は一部ムービーに限定され、且つあらすじ８２はわずかに一部のムービーの内容に組み合わされ、ゆえにユーザーがウェブページ上のあらすじ８２中でクリックするムービーサーチ機能を具えたワードは、そのムービーにのみ対応する。図５では、サーチワードのカバー範囲は拡大されて一つのムービーのみに限定されない。ユーザーが入力するキーワードはキーワードデータベース９０中で一つ、或いは複数のフレームに対応しうる。これにより、フレームサーチモジュール８６はキーワードデータベース９０中より複数のデータをサーチして、その後、サーチしたフレームの保存位置により、順に上述のフレームより複数のクリップの再生を開始しうる。
【００２２】
これにより、上述したことに基づき、サーチ機能を具えた文字をクリックするか或いはキーワードを入力してリンク、サーチを行うかに関わらず、本発明は伝統的はＨＴＭＬがただ一つの位置にしかリンクできない欠点を突破する。本発明中のリンクは複数の位置のリンクを許容し、並びに先に一つのコードを取得し、更に該コードに基づきリンクデータを探し出し、直接リンクソースを取得するのではない。これは一つのムービー中のほとんどの景物が重複して異なるフレーム内に出現するために、異なるフレームの位置データを順序よく一緒に集中させて、プログラムが順に該位置データを読み取り、その後に一つずつフレームの位置を探し出し、ムービー再生を行えるようにする必要があるためである。
【００２３】
以上は本発明の好ましい実施例の説明に過ぎず、本発明の特許請求の範囲を限定するものではなく、本発明に記載の精神の下で完成される同等の効果を有する改変或いは修飾は、いずれも本発明の特許請求の範囲に属するものとする。
【図面の簡単な説明】
【００２４】
【図１】本発明の実施例のサーチプログラム設定されたムービーのあらすじ表示フレームである。
【図２】本発明のあらすじ文字がクリックされた時のフレームサーチのフローチャートである。
【図３】本発明の別の実施例におけるキーワード入力によるフレームサーチのフローチャートである。
【図４】本発明の、あらすじ内のワードをクリックしてフレームサーチを行うサーチシステムのブロック図である。
【図５】本発明のキーワード入力によるフレームサーチを行うサーチシステムのブロック図である。
【符号の説明】
【００２５】
１  サーチプログラム設定を具備するワード
２  サーチプログラム設定を具備しないワード
３  フレーム
４  ムービー再生エリア
５  あらすじエリア
１０  プレビューしたいあらすじ選択
１２  あらすじ中のワードをクリック
１４  クリックされたワードがサーチプログラム設定を具備するかを判断
１６  サーチコード取得
１８  サーチコードを対比し、フレーム保存位置のデータを探し出す
２０  保存位置により対応する少なくとも一つのフレームをサーチ
２２  ムービー再生モジュールを起動して少なくとも一つのフレームを再生
２４  フレーム再生終了
４０  ユーザーがキーワード入力可能なプレビュークリップを具えたウェブページウインドウ中でキーワードを入力
４２  ユーザーが入力したキーワードがキーワードデータベース中にあるかを判断
４４  入力したキーワードがキーワードデータベース中にない時、ウェブページが情報対話フレームを表示してユーザーに再生できる関係フレームがないことを告知
４６  入力したキーワードがキーワードデータベース中にある時、キーワードデータベースより少なくとも一つのフレーム保存位置データ取得
４８  保存位置により、対応する少なくとも一つのフレームをサーチ
５０  サーチしたフレームを再生
５２  フレームサーチ終了
６０  コンピュータシステム（ＰＣ  ｓｙｓｔｅｍ）
６２  ディスプレイモジュール（ｄｉｓｐｌａｙ  ｍｏｄｕｌｅ）
６４  ムービー再生モジュール（ｍｏｖｉｅ  ｐｌａｙｅｒ  ｍｏｄｕｌｅ）
６６  入力モジュール（ｉｎｐｕｔ  ｍｏｄｕｌｅ）
６８  ウェブシステム（ｗｅｂ  ｓｙｓｔｅｍ）
７０  ウェブページ読取モジュール（ｗｅｂ  ｐａｇｅ  ｒｅａｄｅｒ  ｍｏｄｕｌｅ）７２  インターネットコンポーネント（ｉｎｔｅｒｎｅｔ  ｃｏｍｐｏｎｅｎｔ）
７６  ウェブサーバー（ｗｅｂ  ｓｅｒｖｅｒ）
８０  ウェブページ
８２  あらすじ
８４  ワード読取モジュール（ｗｏｒｄ  ｒｅａｄｅｒ  ｍｏｄｕｌｅ）
８６  フレームサーチモジュール（ｆｒａｍｅ  ｌｏｏｋ−ｕｐ  ｍｏｄｕｌｅ）
８８  キーワード受取モジュール（ｋｅｙ  ｗｏｒｄ  ｒｅｃｅｉｖｅｒ  ｍｏｄｕｌｅ）
９０  キーワードデータベース
【図１】
2006133851.tif 000003
【図２】
2006133851.tif 000004
【図３】
2006133851.tif 000005
【図４】
2006133851.tif 000006
【図５】
2006133851.tif 000007